(57)【要約】【課題】セル内部にマイクロセルあるいはピコセルと呼ばれる小セルを重複して配置した無線通信システムにおいて、小セルに対応する基地局装置のうち無駄に稼動状態とされる基地局装置を低減することが可能な基地局の電力供給制御方法を提供する。【解決手段】第１のセル内に重複して配置された第２のセルについて無線信号の通信処理を行う第２の基地局装置は、第２のセル内のトラヒックの消失に応じて少なくとも一部の電力受給を停止し、第１のセルに在圏する移動端末装置からの接続要求に応じて接続要求を受け付けた第１のセルに対応する第１の基地局装置は、移動端末装置の通信を処理可能な第２の基地局装置を特定し、第１の基地局装置は、特定された第２の基地局装置の電力受給を選択的に再開させる。【選択図】      図１
2011091748.tif 000002
【特許請求の範囲】
【請求項１】
第１のセル内に重複して配置された第２のセルについて無線信号の通信処理を行う第２の基地局装置は、前記第２のセル内のトラヒックの消失に応じて少なくとも一部の電力受給を停止し、
前記第１のセルに在圏する移動端末装置からの接続要求に応じて前記接続要求を受け付けた前記第１のセルに対応する第１の基地局装置は、前記移動端末装置の通信を処理可能な第２の基地局装置を特定し、
前記第１の基地局装置は、前記特定された第２の基地局装置の電力受給を選択的に再開させる
ことを特徴とする基地局の電力供給制御方法。
【請求項２】
第１のセル内に重複して配置された第２のセルについて無線信号の通信処理を行う基地局装置であって、
前記第２のセル内に在圏する移動端末装置との間で継続的な無線信号の通信が停止したときに、前記基地局装置の少なくとも一部の電力受給を停止させる停止制御部と、
前記第１のセルについて無線信号の通信処理を行う前記基地局装置とは異なる第１の基地局装置から入力される再開指示に応じて、前記基地局装置の電力受給を再開する再開制御部と
を備えたことを特徴とする基地局装置。
【請求項３】
第１のセル内に重複して配置された第２のセルについて無線信号の通信処理を行う基地局装置であって、
前記第２のセル内に在圏する移動端末装置との間で継続的な無線信号の通信が停止したときに、前記基地局装置の少なくとも一部の電力受給を停止させる停止制御部と、
前記第２のセル内に在圏する移動端末装置からのランダムアクセスに応じて、前記基地局装置の電力受給を再開する再開制御部と
を備えたことを特徴とする基地局装置。
【請求項４】
請求項２または請求項３に記載の基地局装置において、
前記停止制御部は、前記第１のセルについて無線信号の通信処理を行う前記基地局装置とは異なる第１の基地局装置から受信する無線信号についての受信電波測定結果が、前記第２のセルが前記第１のセル内に含まれていることを示しているときに、前記基地局装置の電力受給を停止させる制御を有効とする有効設定部を備えた
ことを特徴とする基地局装置。
【請求項５】
少なくとも一つの第２のセルが重複して配置された第１のセルについて無線信号の通信処理を行う基地局装置であって、
前記第１のセルに在圏する移動端末装置からの接続要求に応じて、前記第２のセルそれぞれに対応して設けられた第２の基地局装置の中から、前記移動端末装置の通信を処理可能な第２の基地局装置を特定するセル特定部と、
前記セル特定部によって特定された第２の基地局装置に対して、選択的に電力受給の再開を指示する再開指示を送出する再開指示部と
を備えたことを特徴とする基地局装置。
【請求項６】
請求項５に記載の基地局装置において、
前記セル特定部は、
前記要求元の移動端末装置から、ＧＰＳ機能を用いて前記移動端末装置の位置を示した位置情報を収集する位置情報収集部と、
前記第２のセルそれぞれに対応する前記第２の基地局装置の位置を含む基地局情報を保持する基地局情報保持部とを備え、
前記位置情報収集部によって収集された位置情報と前記基地局情報保持部に保持された基地局情報とに基づいて、前記移動端末装置の通信を処理可能な前記第２の基地局装置を特定する
ことを特徴とする基地局装置。
【請求項７】
請求項５に記載の基地局装置において、
前記セル特定部は、
前記要求元の移動端末装置との間で授受する無線信号に基づいて、前記移動端末装置の方向および前記移動端末装置との間の距離とで示される前記移動端末装置の位置を推定する位置推定部と、
前記第２のセルそれぞれに対応する前記第２の基地局装置の位置を含む基地局情報を保持する基地局情報保持部とを備え、
前記位置推定部によって推定された位置と前記基地局情報保持部に保持された基地局情報とに基づいて、前記移動端末装置の通信を処理可能な前記第２の基地局装置を特定する
ことを特徴とする基地局装置。
【請求項８】
請求項５に記載の基地局装置において、
前記セル特定部は、
前記要求元の移動端末装置との間で授受する無線信号に基づいて、前記移動端末装置が前記第１のセルに含まれる複数のセクタのどれに滞在しているかを特定するセクタ特定部を備え、
前記特定されたセクタ内に重複して配置された全ての第２のセルに対応する第２の基地局装置を前記再開指示の宛先として前記再開指示部の処理に供する
ことを特徴とする基地局装置。
【請求項９】
請求項７に記載の基地局装置において、
前記再開指示部は、
接続要求に対応して前記セル特定部によって得られる特定結果に基づいて、前記第２のセルそれぞれのトラヒックを示す統計量を集計する集計処理部と、
前記集計処理部による集計結果が予め設定された条件を満たすか否かに応じて、前記セル特定部によって特定された第２の基地局装置における電力受給の再開の可否を判定する再開判定部とを備えた
ことを特徴とする基地局装置。
【請求項１０】
少なくとも一つの第２のセルが重複して配置された第１のセルについて無線信号の通信処理を行う基地局装置であって、
前記第１のセルに在圏する移動端末装置からの接続要求に応じて、前記第２のセルそれぞれに対応して設けられた第２の基地局装置の中から、前記移動端末装置の通信を処理可能な第２の基地局装置を特定するセル特定部と、
前記セル特定部によって特定された第２の基地局装置を宛先とするランダムアクセスに必要な情報を前記要求元の移動端末装置に伝達し、前記移動端末装置に前記特定された第２の基地局装置に対するランダムアクセスを実行させるアクセス指示部と
を備えたことを特徴とする基地局装置。
【発明の詳細な説明】
【技術分野】
【０００１】
本発明は、セル内部にマイクロセルあるいはピコセルと呼ばれる小セルを重複して配置した無線通信システムにおいて、基地局装置の電力供給を制御する基地局の電力供給制御方法および基地局装置に関する。
【背景技術】
【０００２】
携帯電話サービスのためのセルラーネットワークシステムや無線ローカルネットワークシステムを提供する通信事業者は、高トラヒック地域においてリソースを増設するために、様々な対策を講じている。その中の一つに、基地局装置の無線信号が到達する範囲内に別の小出力基地局装置を設置して、基地局装置に対応するセル内に小セルを重複して配置する手法がある。このような小出力の基地局装置は、一般的なセルに対応するマクロ基地局装置に対して、マイクロ基地局装置あるいはピコ基地局装置と呼ばれている。
【０００３】
このようなマイクロ(ピコ)基地局装置に対応する小セルは、その面積の狭さ故に、常に、移動端末装置を在圏させているとは限らない。移動端末装置が在圏していない状態でマイクロ(ピコ)基地局装置が消費する電力は無駄になってしまう。
【０００４】
無線通信システムの省電力化を図るために、３ＧＰＰ(3rd Generation Partnership Project)では、ＳＯＮ(Self Organization Networks)のEnergy Saving機能が検討されている。検討中の機能は、統計的な手法によって時間帯ごとに推定されたトラヒックに基づいて、重複して配置されたマイクロ基地局装置の中から稼動させる基地局を予め決定しておくことで、省電力化を図る手法を採用している。
【０００５】
また、セル内のトラヒック量の増減に応じて、セル内に配置されたマイクロ基地局の稼動状態を制御する技術も提案されている(特許文献１，２参照)。
【先行技術文献】
【特許文献】
【０００６】
【特許文献１】特開２０００−２６１８４４号公報
【特許文献２】特開平７−０３８９３７号公報
【発明の概要】
【発明が解決しようとする課題】
【０００７】
ところで、上述した先行技術文献に開示された技術および３ＧＰＰで検討中の省電力化技術では、重複して配置されたマイクロセルに対応するマイクロ基地局の稼動状態は、セル全体のトラヒックの測定値や推定値に基づいて制御されている。
【０００８】
しかしながら、セルに比べてマイクロセルの面積が非常に小さい場合には、セル全体のトラヒックが増大しても、稼動状態へと移行させられたマイクロ基地局のカバー範囲に移動端末装置が在圏していない可能性がある。また、時間帯ごとに推定されたトラヒックでは、イベントの開催のような、推定値の算出の際に想定されなかった要因による変動に迅速に対処することができない。つまり、いずれの技術を適用した場合にも、マイクロセル内に在圏している移動端末装置が存在しないにもかかわらず、マイクロ基地局装置が無駄に稼動状態とされる場合がある。
【０００９】
本件開示の方法および装置は、セル内に重複して配置された小セル基地局装置のうち無駄に稼動状態とされる小セル基地局装置を低減することが可能な基地局の電力供給制御方法および基地局装置を提供することを目的とする。
【課題を解決するための手段】
【００１０】
上述した目的は、以下に開示する基地局の電力供給制御方法によって達成することができる。
【００１１】
一つの観点による重複して基地局の電力供給制御方法は、第１のセル内に重複して配置された第２のセルについて無線信号の通信処理を行う第２の基地局装置が、前記第２のセル内のトラヒックの消失に応じて少なくとも一部の電力受給を停止する手順と、前記第１のセルに在圏する移動端末装置からの接続要求に応じて前記接続要求を受け付けた前記第１のセルに対応する第１の基地局装置が、前記移動端末装置の通信を処理可能な第２の基地局装置を特定する手順と、前記第１の基地局装置が、前記特定された第２の基地局装置の電力受給を選択的に再開させる手順とを備える。
【００１２】
上述した目的は、以下に開示する基地局装置によって達成することができる。
【００１３】
一つの観点による基地局装置は、第１のセル内に重複して配置された第２のセルについて無線信号の通信処理を行う基地局装置であって、前記第２のセル内に在圏する移動端末装置との間で継続的な無線信号の通信が停止したときに、前記基地局装置の少なくとも一部の電力受給を停止させる停止制御部と、前記第１のセルについて無線信号の通信処理を行う前記基地局装置とは異なる第１の基地局装置から入力される再開指示に応じて、前記基地局装置の電力受給を再開する再開制御部とを備える。
【００１４】
上述した目的は、以下に開示する基地局装置によって達成することができる。
【００１５】
別の観点による基地局装置は、第１のセル内に重複して配置された第２のセルについて無線信号の通信処理を行う基地局装置であって、前記第２のセル内に在圏する移動端末装置との間で継続的な無線信号の通信が停止したときに、前記基地局装置の少なくとも一部の電力受給を停止させる停止制御部と、前記第２のセル内に在圏する移動端末装置からのランダムアクセスに応じて、前記基地局装置の電力受給を再開する再開制御部とを備える。
【００１６】
上述した目的は、以下に開示する基地局装置によって達成することができる。
【００１７】
更に別の観点による基地局装置は、少なくとも一つの第２のセルが重複して配置された第１のセルについて無線信号の通信処理を行う基地局装置であって、前記第１のセルに在圏する移動端末装置からの接続要求に応じて、前記第２のセルそれぞれに対応して設けられた第２の基地局装置の中から、前記移動端末装置の通信を処理可能な第２の基地局装置を特定するセル特定部と、前記セル特定部によって特定された第２の基地局装置に対して、選択的に電力受給の再開を指示する再開指示を送出する再開指示部とを備える。
【００１８】
上述した目的は、以下に開示する基地局装置によって達成することができる。
【００１９】
また更に別の観点による基地局装置は、少なくとも一つの第２のセルが重複して配置された第１のセルについて無線信号の通信処理を行う基地局装置であって、前記第１のセルに在圏する移動端末装置からの接続要求に応じて、前記第２のセルそれぞれに対応して設けられた第２の基地局装置の中から、前記移動端末装置の通信を処理可能な第２の基地局装置を特定するセル特定部と、前記セル特定部によって特定された第２の基地局装置を宛先とするランダムアクセスに必要な情報を前記要求元の移動端末装置に伝達し、前記移動端末装置に前記特定された第２の基地局装置に対するランダムアクセスを実行させるアクセス指示部とを備える。
【発明の効果】
【００２０】
本件開示の方法および装置によれば、第１のセル内に重複して配置された第２のセルに対応する基地局装置のうち無駄に稼動状態とされる基地局装置を低減することが可能である。
【図面の簡単な説明】
【００２１】
【図１】無線通信システムの一実施形態を示す図である。
【図２】無線通信システムの動作を説明する図である。
【図３】小セル基地局装置の一実施形態を示す図である。
【図４】マクロ基地局装置の一実施形態を示す図である。
【図５】小セル基地局データベースの例を示す図である。
【図６】小セル基地局装置の電力供給制御動作を説明するシーケンス図である。
【図７】収容セル判定部の動作を表す流れ図である。
【図８】再開判定動作を表す流れ図である。
【図９】マクロ基地局の別実施形態を示す図である。
【図１０】小セル基地局装置の別実施形態を示す図である。
【図１１】小セル基地局装置の電力供給制御動作を説明するシーケンス図である。
【図１２】複数の小セルＢＳに再開指示を送達する例を説明する図である。
【図１３】電力供給制御方法の別実施形態を適用した無線通信システムの一例を示す図である。
【図１４】マクロ基地局装置の別実施形態を示す図である。
【図１５】小セル基地局装置の別実施形態を示す図である。
【図１６】小セル基地局装置の電力供給制御動作を説明するシーケンス図である。
【発明を実施するための形態】
【００２２】
図１に、電力供給制御方法を適用した無線通信システムの一実施形態を示す。また、図２に、無線通信システムの動作を説明する図を示す。
【００２３】
図１に示した小セル基地局装置１１０は、マクロ基地局装置１２０のカバーエリア（マクロセル）内に重複して配置されている各小セル(マイクロセルあるいはピコセル)に対応して設置されている。マクロ基地局装置１２０のカバーエリアであるマクロセルは第１のセルに相当し、マクロ基地局装置は第１の基地局装置に相当する。また、上述したマクロセル内に重複して配置された小セルは第２のセルに相当し、小セル基地局装置は第２の基地局装置に相当する。
【００２４】
図１に示した小セル基地局装置１１０は、対応する小セルを通信処理範囲として無線信号の通信処理を行うための信号処理部１１１、送信アンプ１１２および受信アンプ１１３を備えている。また、マクロ基地局装置１２０は、マクロセルを通信処理範囲として無線信号の通信処理を行うための信号処理部１２１、送信アンプ１２２および受信アンプ１２３を備えている。上述した各小セル基地局装置１１０の信号処理部１１１と、マクロ基地局装置１２０の信号処理部１２１とは、いずれも、バックホール回線を介して有線ネットワークに接続されている。なお、ＦＤＤ(Frequency Division Duplex)方式の無線通信システムでは、マクロ基地局装置１２０と重複して配置された各小セル基地局装置１１０とは、それぞれ異なる上りリンク周波数、下りリンク周波数の無線信号を利用して通信を行っている。また、ＴＤＤ(Time Division Duplex)方式の無線通信システムでは、マクロ基地局装置１２０と重複して配置された各小セル基地局装置１１０とは、それぞれの上りリンク、下りリンクに異なるタイムスロットを割り当てて通信を行っている。
【００２５】
また、上述した小セル基地局装置１１０に備えられた信号処理部１１１、送信アンプ１１２および受信アンプ１１３には、スイッチ部１１５を介して電源供給部１１４から電力が供給されている。そして、小セル基地局装置１１０に備えられた停止制御部１１６は、信号処理部１１１の動作状態から小セル内のトラヒックの消失を検出したときに、スイッチ部１１５を介して少なくとも送信アンプ１１２への電力供給を停止させ、休止状態に移行させる。停止制御部１１６は、例えば、無線信号処理が行われない状態が所定時間に亘って継続していることが信号処理部１１１の動作状態によって示されたときに、対応する小セル内のトラヒックが消失したと判断することができる。
【００２６】
一方、小セル基地局装置１１０に備えられた再開制御部１１７は、マクロ基地局装置１２０からの再開指示を受けたときに、スイッチ部１１５を介して停止されていた電力供給を再開させる。
【００２７】
つまり、小セル基地局装置１１０は、対応する小セル内のトラヒックの消失に応じて、休止状態となり、その後、マクロ基地局装置１２０からの再開指示に応じて、送信アンプ１１３も含めた各部への電力供給を再開して稼動を再開する。
【００２８】
図１に示したマクロ基地局装置１２０に備えられた信号処理部１２１は、送信アンプ１２２および受信アンプ１２３が、マクロセルに滞在している移動端末装置との間で通信処理する無線信号について信号処理を行う。
【００２９】
マクロ基地局装置１２０に備えられたセル特定部１２４は、移動端末装置からの接続要求を受けたときに信号処理部１２１で得られる情報に基づいて、要求元の移動端末装置が在圏している小セルを特定する。そして、再開指示部１２５は、セル特定部１２４によって特定された小セルに対応する小セル基地局装置１１０に対して、電力供給の再開を指示する再開指示を送出する。
【００３０】
つまり、マクロ基地局装置１２０は、接続要求元の移動端末装置が在圏している小セルをカバーする小セル基地局装置１１０を特定して、選択的に電力供給の再開を指示する再開指示を送出する。
【００３１】
例えば、図２(ａ)に示した例では、移動端末装置ＭＳが、休止状態となっている小セル基地局装置(小セルＢＳ１)のカバーエリア内に移動したところで、マクロ基地局装置（マクロＢＳ）に対して接続要求を行っている。この場合に、マクロ基地局装置１２０は、接続要求手順で移動端末装置ＭＳとの間でやり取りする情報に基づいて特定された小セルＢＳ１に対して選択的に再開指示を送出する(図２(ｂ)参照)。図２(ｂ)に示した例では、その他の小セル基地局装置(小セルＢＳ２，ＢＳ３)の稼動／休止状態は維持される。
【００３２】
したがって、図１に示した無線通信システムでは、個々の小セルにおけるトラヒックの消失に応じて小セル基地局装置１１０の電力消費を抑え、移動端末装置が在圏している小セルの小セル基地局装置１１０を選択的に稼動を再開させることができる。このようにして稼動を再開した小セル基地局装置は、接続要求元の移動端末装置に確実に対向している。つまり、上述した電力供給制御方法によれば、無駄に稼動状態とされる小セル基地局装置を低減し、移動端末装置に対向する小セル基地局装置のみを稼動状態に移行させることができる。
【００３３】
以下に、上述したような無線通信システムに適用可能な小セル基地局装置およびマクロ基地局装置の実施形態について説明する。
(実施形態１)
図３に、小セル基地局装置の一実施形態を示す。また、図４に、マクロ基地局装置の一実施形態を示す。なお、図３、図４に示した構成要素のうち、図１に示した構成要素と同等のものについては、同一の符号を付して示し、その説明は省略する。
【００３４】
図３に示した小セル基地局装置および図４に示したマクロ基地局装置は、ＦＤＤ方式の無線通信システムに重複して基地局の電力供給制御方法を適用した実施形態の一例である。
【００３５】
図３に示した小セル基地局装置１１０の停止制御部１１６は、マクロ基地局装置１２０の下りリンク周波数の無線信号を受信するＢＳ信号用受信アンプ２１１を備えている。また、停止制御部１１６に備えられた信号測定部２１２は、ＢＳ信号用受信アンプ２１１に到来したマクロ基地局装置１２０の下りリンクの信号強度を測定する。そして、有効設定部２１３は、測定された信号強度が、所定の閾値よりも大きい場合に、小セル基地局１１０は、マクロセルに完全に重複していると判断し、無通信検出部２１４の機能を有効に設定する。
【００３６】
無通信検出部２１４は、有効に設定されているときは、信号処理部１１１によるベースバンド信号処理が休止している期間を測定する。そして、この休止期間が予め決定された閾値を超えたときに、無通信検出部２１４は、対応する小セル内のトラヒックが消失したと判断し、その旨をスイッチ部１１５に通知する。この通知に応じて、スイッチ部１１５は、例えば、送信アンプ１１２、受信アンプ１１３および信号処理部１１１に電源電力を供給する回路を切断するように内部のスイッチを操作して、これらの各部への電力供給を停止する。
【００３７】
一方、図３に示した再開制御部１１７に備えられたＢＳ信号処理部２１５は、上述したＢＳ信号用受信アンプ２１１によって受信されたマクロ基地局装置１２０からの無線信号の処理を行う。そして、再開指示検出部２１６は、ＢＳ信号処理部２１５によって得られた信号処理結果から所定の形式の再開指示を検出したときに、電力供給の再開が指示されたと判断し、その旨をスイッチ部１１５に通知する。この通知に応じて、スイッチ部１１５は、上述した内部のスイッチを操作して、送信アンプ１１２、受信アンプ１１３および信号処理部１１１への電源電力の供給を再開させる。
【００３８】
図４に示したマクロ基地局装置１２０のセル特定部１２４に備えられた位置情報収集部２２１は、マクロ基地局装置１２０が移動端末装置との間で通信を開始するための信号をやり取りする過程で、移動端末装置から移動端末装置の位置を示す情報を収集する。また、小セルＢＳデータベース(ＤＢ)２２２は、マクロセル内に重複して配置されている全ての小セルの小セル基地局装置に対応して、それぞれの位置情報と管理情報とを蓄積している。
【００３９】
図５に、小セルＢＳデータベースの例を示す。図５(ａ)に示した例では、各小セル基地局装置の基地局ＩＤ(μＢＳ１，μＢＳ１，…)に対応して、それぞれの位置を緯度と経度とで表した座標と対応する小セルのエリア半径とが位置情報として蓄積されている。なお、位置情報として蓄積される情報は、各小セル基地局装置に対応する小セルの範囲を移動端末装置の位置と比較可能なように表すことができる情報であればどのような情報でもよい。
【００４０】
図４に示したセル特定部１２４に備えられた収容セル判定部２２３は、位置情報収集部２２１によって収集された移動端末装置の位置情報と小セルＢＳデータベース２２２に蓄積された位置情報とに基づいて、移動端末装置が滞在している小セルを特定する。
【００４１】
また、図４に示した再開指示部１２５に備えられた再開判定部２２４は、収容セル判定部２２３によって特定された小セルに対応する小セル基地局装置に対応する管理情報に基づいて、電力供給を再開させるか否かを判定する。そして、再開させる旨の判定を行ったときに、再開判定部２２４は、例えば、小セル基地局装置の基地局ＩＤを指定して、電源供給再開を指示するＳＩＢ(System Information Block)メッセージを作成し、信号処理部１２１を介して送出させる。また、図４に示した更新処理部２２５は、再開判定部２２４による判定結果に応じて、小セルＢＳデータベース２２２に蓄積されている管理情報を更新する。
【００４２】
図６に、小セル基地局装置の電力供給制御動作を説明するシーケンス図を示す。図６において、移動端末装置を符号ＭＳで示し、マクロ基地局装置をマクロＢＳと略称している。また、図６に示した小セルＢＳ１〜小セルＢＳｎは、マクロセルに重複して配置されたｎ個の小セルに対応する小セル基地局装置を示している。
【００４３】
なお、図６に示した例では、小セルＢＳ１〜小セルＢＳｎは、いずれも電力供給が停止された状態となっており、移動端末装置ＭＳが小セルＢＳ１に対応する小セル１に進入した状態で接続要求を行う場合を説明している(図６符号(ａ)、(１)参照)。また、この例では、移動端末装置ＭＳは、ＧＰＳ機能と、例えば、ＲＲＣ(Radio Resource Control)接続要求にＧＰＳ情報を付加して、ランダムアクセス応答に応じて送出する機能とを備えている(図６符号(２)、(３)参照)。
【００４４】
この場合は、図４に示した位置情報収集部２２１は、上述したＲＲＣ接続要求からＧＰＳ情報を抽出することにより、移動端末装置の正確な位置情報を収集し、収容セル判定部２２３の最寄ＢＳを推定する処理(図６符号(ｂ)参照)に供することができる。
【００４５】
図７に、収容セル判定部の動作を表す流れ図を示す。
【００４６】
移動端末装置のＧＰＳ情報を受け取った後に、収容セル判定部２２３は、小セルＢＳデータベース２２２から、登録されている各小セル基地局装置(小セルＢＳｉ)に対応する位置情報を順次に取得する(ステップ３０１，３０２)。
【００４７】
次いで、収容セル判定部２２３は、ステップ３０２で位置情報を取得したｉ番目の小セル基地局装置ＢＳｉと移動端末装置との距離Ｄｉを算出する(ステップ３０３)。そして、収容セル判定部２２３は、算出された距離Ｄｉがｉ番目の小セル基地局装置ＢＳｉの位置情報に含まれるエリア半径Ｒｉよりも小さい場合に(ステップ３０４の肯定判定)、移動端末装置はこの小セル基地局装置ＢＳｉのエリア内に滞在していると判断する。この場合に、収容セル判定部２２３は、ｉ番目の小セル基地局装置ＢＳｉの基地局ＩＤを最寄ＢＳの候補リストに登録して(ステップ３０５)、ステップ３０６に進む。一方、ステップ３０４の否定判定の場合に、収容セル判定部２２３は、ステップ３０５をスキップしてステップ３０６に進む。
【００４８】
未判定の小セル基地局装置がある場合に(ステップ３０６の肯定判定)、収容セル判定部２２３は、ステップ３０２に戻って、次の小セル基地局装置についての判定処理を行う。そして、全ての小セル基地局装置についての判定処理が完了したときに、収容セル判定部２２３は、ステップ３０６の否定判定として、候補リストに登録された小セル基地局の中から最寄ＢＳを推定して再開判定部２２４に通知して(ステップ３０７)、処理を終了する。収容セル判定部２２３は、例えば、候補リストに基地局ＩＤに対応して算出された距離を保持させておき、最小の距離を与える小セル基地局装置をこの候補リストから探して、これを最寄ＢＳとして選択することができる。
【００４９】
なお、ステップ３０４の肯定判定となる小セル基地局装置を検出した時点で、検出した小セル基地局装置を最寄ＢＳとして推定するように収容セル判定部２２３を構成することもできる。また、上述した最寄ＢＳを推定する処理は、マクロ基地局装置と移動端末装置との間の通信を開始して継続するための信号処理と並行して行うことができる(図６参照)。
【００５０】
再開判定部２２４は、上述したようにして移動端末装置の位置情報から推定された最寄の小セル基地局装置が休止状態である場合に、稼動を再開させるか否かを以下に述べるようにして判定する(図６符号(ｃ)参照)。この再開判定部２２４による処理もまた、マクロ基地局装置と移動端末装置との間の通信を開始して継続するための信号処理と並行して行うことができる(図６参照)。
【００５１】
図８に、再開判定動作を表す流れ図を示す。
【００５２】
再開判定部２２４は、収容セル判定部２２３から最寄ＢＳの通知を受けて（ステップ３１１）、通知された小セル基地局装置に対応する管理情報を小セルＢＳデータベース２２２から取得する(ステップ３１２)。
【００５３】
図５(ａ)に示した例では、各小セル基地局装置に対応する管理情報として、各小セルに滞在している通信中の移動端末装置の数を示す在圏ＭＳ数と、再開閾値とが格納されている。この再開閾値は、小セル基地局装置が休止状態となっているときに稼動を再開させる条件の一例であり、例えば、在圏ＭＳ数について、再開の可否を判断する指標となる値を格納することができる。
【００５４】
図８のステップ３１３において、再開判定部２２４は、管理情報に含まれている在圏ＭＳ数に数値「１」を加算して更新する(ステップ３１３)。その後、再開判定部２２４は、更新された在圏ＭＳ数と上述した再開閾値とを比較し、在圏ＭＳ数が再開閾値以上となったときに(ステップ３１４の肯定判定)、その小セル基地局装置の稼動を再開すべきであると判断する。例えば、図５(ａ)に示したように、小セル基地局装置ＢＳ１の基地局ＩＤ（μＢＳ１）に対応する管理情報に含まれる在圏ＭＳ数が数値「１」となっている場合に、ステップ３１３で更新された値は再開閾値と等しくなる。この場合に、再開判定部２２４は、小セル基地局装置ＢＳ１の稼動を再開させるべきであると判断し、上述したＳＩＢメッセージを作成して、信号処理部１２１による送信処理に供する(ステップ３１５)。
【００５５】
このＳＩＢメッセージは、信号処理部１２１を介して送信アンプ１２２に渡され、マクロ基地局装置１２０の下りリンク周波数の無線信号を用いて送出される(図６符号(５)参照)。
【００５６】
このＳＩＢメッセージが小セル基地局装置１１０のＢＳ信号用受信アンプ２１１に到達したときに、ＢＳ信号処理部２１５は、宛先の基地局ＩＤに基づいて、自装置宛のメッセージであるか否かを判定する。自装置宛のメッセージである場合に、再開指示検出部２１６は、ＢＳ信号処理部２１５によって得られたメッセージの内容に含まれている電力供給の再開指示を検出する。そして、再開指示の検出に応じて、再開指示検出部２１６は、スイッチ部２１７を操作して電力供給を再開させる(図６において「電源ＯＮ」として示した)。
【００５７】
このようにして、移動端末装置が滞在している小セルの小セル基地局装置１１０の電源のみを選択的にオンとして、その活動を再開させることができる。
【００５８】
なお、図８のステップ３１４の判定結果にかかわらず、図４に示した更新処理部２２５は、ステップ３１６において、上述した収容セル判定部２２３で特定された小セル基地局装置に対応する小セル基地局データベース２２２の在圏ＭＳ数を更新する。このようにして、小セル基地局データベース２２２に保持された管理情報の行進を行うことにより、セル特定部１２４による処理結果に基づいて、各小セルのトラヒックを示す統計量の一つとして、滞在中の移動端末装置の数を集計することができる。
【００５９】
一方、活動を再開した小セル基地局装置１１０の送信アンプ１１２により、無線信号の送信が再開されると(図６符号(ｄ)参照)、この無線信号は、マクロＢＳの無線信号よりも大きな強度で移動端末装置に到達する。このため、移動端末装置は、通常のハンドオーバー手順に従って、マクロＢＳから小セルＢＳ１への切り替え処理を行い(図６符号(６)参照)、以後は、小セルＢＳ１と通信する(図６符号(７)参照)。
【００６０】
その後、小セルＢＳ１において無通信状態が検出されると(図６符号(ｅ)参照)、図３に示した停止制御部１１６によりスイッチ部１１５が再び操作され、送信アンプ１１２、受信アンプ１１３および信号処理部１１１への電力供給が停止される(電源ＯＦＦ)。これに伴って、小セルＢＳ１からの無線信号送信も停止される(図６符号(ｆ)参照)。
【００６１】
上述した構成では、各小セル基地局装置１１０は、一定時間の無通信状態の検出に応じて、送信アンプ１１２、受信アンプ１１３および信号処理部１１１への電力供給を停止する。この場合は、再開指示の受信のためのＢＳ信号用受信アンプ２１１およびその信号処理に必要な各部への電力の供給のみを維持すればよいので、小セル基地局装置１１０が休止状態であるときの消費電力は稼動中に比べて非常に小さい。したがって、上述したようにして、個々の小セル基地局装置における電力供給を制御することにより、誰も滞在していない小セルに対応する小セル基地局装置によって無用に消費される電力を抑制し、無線通信システムの省電力化を推進することができる。
【００６２】
また、マクロ基地局装置１２０は、移動端末装置が滞在先と推定される小セル基地局装置の電力供給を再開させるか否かを再開閾値を用いて判定することにより、小セル基地局装置の電源が頻繁にオン・オフされる事態を避け、制御を安定化させることができる。
【００６３】
なお、再開閾値の値は、個々の小セルが配置されている場所の特徴などを考慮して決定することができる。また、無線通信システムの運用を開始した後に、上述した電力供給制御の実績を示すログ情報などに基づいて、再開閾値を調整することも可能である。
【００６４】
また、一部の小セル基地局装置に対応する再開閾値の値を数値「１」として、対応するエリアにおいては、小セル基地局装置を利用した無線通信を優先させる制御を行うことも可能である。また、一方、上述した再開閾値を用いた判定を省略し、全ての小セルにおいて、小セル基地局装置を利用した無線通信を優先させる制御を行うことも可能である。
【００６５】
また、更に、再開閾値は、在圏する移動端末数に基づくものに限らず、各小セルにかかわるトラヒック量と相関を持つ数量であればどのようなものでもよい。例えば、接続要求の頻度について再開閾値を設定すれば、各小セルについて、ランダムアクセス要求を受け付けた時間の間隔に基づいて、電力供給の再開の可否を判断することができる。
【００６６】
一方、マクロ基地局装置１２０の負荷の大きさについて設定した再開閾値に基づいて、接続要求元の移動端末装置が滞在している小セルの小セル基地局装置１１０の電力供給を再開させるか否かを決定することもできる。また、マクロ基地局装置１２０の負荷の大きさに応じて、各小セルにかかわるトラヒック量と相関を持つ数量について設定する再開閾値の値を変更することもできる。
【００６７】
次に、マクロ基地局装置１２０から小セル基地局装置１１０に再開指示を送達する方法のバリエーションについて説明する。
(実施形態２)
図９に、マクロ基地局装置の別実施形態を示す。また、図１０に、小セル基地局装置の別実施形態を示す。なお、図９に示した構成要素のうち、図４に示した構成要素と同等のものについては、同一の符号を付して示し、その説明は省略する。同様に、図１０に示した構成要素のうち、図３に示した構成要素と同等のものについては、同一の符号を付して示し、その説明は省略する。また、図１１に、小セル基地局装置の電力供給制御動作を表すシーケンス図を示す。
【００６８】
図１０に示した小セル基地局装置および図９に示したマクロ基地局装置は、ＦＤＤ方式の無線通信システムに重複して基地局の電力供給制御方法を適用した実施形態の別の一例である。
【００６９】
図９に示したマクロ基地局装置１２０は、アレイアンテナ１２６を備えている。また、セル特定部１２４に備えられた端末方位推定部２２６は、アレイアンテナ１２６の受信信号が信号処理部１２１で処理される過程で得られる情報に基づいて、接続要求元の移動端末装置の方位を推定する。また、距離算出部２２７は、移動端末装置との間でやり取りされる信号に基づいて、移動端末装置との間の伝送遅延量を推定し、この推定結果に基づいて移動端末装置とマクロ基地局装置１２０との距離を算出する。
【００７０】
例えば、小セル１に進入した移動端末装置からランダムアクセスプリアンブルを受け取ったときに(図１１の符号(ａ)，(１)参照)、マクロＢＳにおいて、移動端末装置の方位および遅延情報が収集される(図６符号(ｇ)参照)。そして、移動端末装置との間の通信手順の進行と並行して、移動端末装置の位置の推定処理が行われる(図６符号(ｈ)参照)。
【００７１】
位置推定部２２８は、例えば、マクロ基地局装置１２０自身の位置情報と、上述したようにして得られた移動端末装置の方位および移動端末装置までの距離とに基づいて、移動端末装置の位置を推定することができる。そして、得られた推定結果を示す位置情報に基づいて、収容セル判定部２２３による最寄ＢＳ推定処理が行われる(図６符号(ｂ)参照)。この収容セル判定部２２３によって最寄ＢＳとして特定された小セル基地局装置について、再開判定部２２４により、上述した実施形態１と同様の再開判定処理が行われる(図６符号(ｃ)参照)。
【００７２】
ここで、図９に示した再開指示部１２５は、各小セル基地局装置１１０の上りリンク周波数の無線信号を送信するためのＢＳ通信用送信アンプ２３１を備えている。また、信号生成部２３２は、再開判定部２２４から上述したＳＩＢメッセージを受け取ったときに、このＳＩＢメッセージに対応する信号を生成し、ＢＳ通信用送信アンプ２３１を介してこの信号を送出させる(図６符号(９)参照)。
【００７３】
この場合は、小セル基地局装置１１０は、受信アンプ１１３によってマクロ基地局装置１２０からの再開指示を含むＳＩＢメッセージを受信するので、休止状態でも受信アンプ１１３への電力供給は維持される。なお、図１０において、スイッチ部１１５によってオン・オフされる電力供給経路を太い破線で示し、常時電力供給が維持される電力供給経路を太い実線で示した。また、図１０において、停止制御部１１６および再開制御部１１７の各部への電力供給経路の図示は省略されている。
【００７４】
図１０に示した再開制御部１１７に備えられたメッセージ抽出部２１７は、受信アンプ１１３の受信信号から自装置宛のＳＩＢメッセージを抽出し、抽出したＳＩＢメッセージを再開指示検出部２１６の処理に供する。
【００７５】
したがって、小セル基地局の上りリンク周波数の無線信号を用いて送出されたＳＩＢメッセージは、宛先として指定された小セル基地局装置１１０のメッセージ抽出部２１７によって選択的に抽出される。そして、抽出されたＳＩＢメッセージに含まれる再開指示を検出して、再開指示検出部２１６により、スイッチ部１１５が操作され、送信アンプ１１２および信号処理部１１１への電力供給が再開される。また、電源がオンとなったことに応じて、送信アンプ１１２による送信も再開される(図６符号(ｄ)参照)。その後、上述した実施形態１と同様にして、小セルＢＳ１への切り替え処理が行われ、通信状態へと移行する。
【００７６】
図１０に示した小セル基地局装置１１０の停止制御部１１６は、図３に示したＢＳ信号用アンプ２１１、信号測定部２１２に代えて、設定保持部２１８を備えている。この設定保持部２１８は、個々の小セル基地局装置１１０において無通信検出部２１４の機能を有効とするか否かを示す設定情報が保持されている。そして、有効設定部２１３は、この設定情報に従って、無通信検出部２１４の機能を有効または無効に設定する。上述した設定情報は、例えば、小セル基地局装置１１０を設置する際などに、設置位置におけるマクロ基地局装置１２０の無線信号強度などの測定結果に基づいて決定し、設定保持部２１８に保持させておくことができる。
【００７７】
このように構成された小セル基地局装置１１０では、マクロ基地局装置１２０からの再開指示の送達を受けるためにＢＳ通信用受信アンプ２１１を備える必要がないので、小セル基地局装置１１０のハードウェア量の増大を抑えることができる。その代わりに、マクロ基地局装置１２０に、小セル基地局装置１１０の上りリンク周波数用の送信アンプを設ける必要がある。
【００７８】
なお、小セル基地局装置１１０の再開制御部１１７にメッセージ検出部２１７を設ける代わりに、休止状態においても信号処理部１１１への電力供給を維持し、この信号処理部１１１によって自装置宛のＳＩＢメッセージを検出するように構成することもできる。
【００７９】
この場合は、無通信状態の検出に応じて電力供給経路がオフとされるのは送信アンプ１１２のみとなる。しかし、受信アンプ１１３および信号処理部１１１による消費電力は、送信アンプ１１２による消費電力に比べて小さいので、このような構成によっても、小セル基地局装置１１０の消費電力の低減を図ることができる。
【００８０】
なお、マクロ基地局装置１２０から各小セル基地局装置１１０への再開指示の送達方法を、小セル基地局装置１１０ごとに選択可能とすることもできる。
【００８１】
例えば、各小セル基地局装置に対応して、再開指示の送達に、マクロＢＳの下りリンク周波数と小セルＢＳの上りリンク周波数のいずれを利用するかを示す情報を小セル基地局情報データベース２２２に格納し、再開指示部１２５の処理に供することができる。図５(ｂ)に、再開指示の送達方法を指定する情報をＢＳ通信用の周波数の指定として、管理情報に含めて格納した小セル基地局データベース２２２の例を示した。
【００８２】
また、各小セル基地局装置１１０について収集された電源状態を示す情報を管理情報の一部として小セル基地局データベース２２２に格納することもできる。例えば、マクロ基地局装置１２０の信号処理部１２１により、バックホール回線を介して各小セル基地局装置１１０から電源状態を示す情報を収集することができる。また、収集した電源状態を示す情報により、小セル基地局装置１１０における電力供給が停止されたことが示されたときに、対応する在圏ＭＳ数をクリアして、各小セルにおけるトラヒックの状態を小セル基地局データベース２２２に反映することもできる。
【００８３】
更に、セル特定部１２４によって特定された小セルに対応する小セル基地局装置１１０への再開指示の送達に、バックホール回線を利用することも可能である。例えば、判定再開判定部２２４により、電力供給を再開させる旨の制御メッセージを生成して信号処理部１２１に渡し、移動端末装置の滞在先として特定された小セル基地局装置１１０宛に、有線ネットワーク経由で送信する旨を依頼すればよい。
【００８４】
一方、ＴＤＤ方式の無線通信システムに重複して基地局の電力供給制御方法を適用する場合には、マクロ基地局装置と小セル基地局装置とが同一の周波数の無線信号を送受信可能であることを利用して、再開指示の送達を実現することができる。例えば、マクロ基地局装置は、特定された小セル基地局装置の受信に割り当てられたタイムスロット用いて、上述した再開指示を含むＳＩＢメッセージを送信することにより、小セル基地局装置に再開指示を送達することができる。
【００８５】
なお、マクロ基地局装置１２０から電力供給の再開を指示する対象の小セル基地局装置１１０は、単一に限らず、所定の範囲内に配置された複数の小セル基地局装置１１０を対象として再開指示を送出することもできる。
【００８６】
図１２に、複数の小セル基地局装置(ＢＳ)に再開指示を送達する例を説明する図を示す。図１２に示した例では、マクロセルは３つのセクタに分割されており、小セルＢＳ１〜ＢＳ３はセクタ１に配置されており、小セルＢＳ４，ＢＳ５はセクタ２に、小セルＢＳ６はセクタ３に配置されている。
【００８７】
例えば、マクロ基地局装置１２０のセル特定部１２４は、移動端末装置との距離が所定の閾値以下である小セル基地局装置１１０を再開指示対象として選択することもできる。また、マクロセルが複数のセクタに分割されている場合に、接続要求元の移動端末装置が滞在しているセクタに配置されている小セル基地局装置１１０を一括して再開指示対象とすることもできる。例えば、収容セル判定部２２３は、信号処理部１２１から接続要求元の移動端末装置の滞在セクタを示す情報を受け取り、小セル基地局データベース２２２からこのセクタに配置されている小セル基地局装置の情報を抽出して、再開指示部１２５に渡すことができる。図１２(ａ)に示した例では、移動端末装置ＭＳはセクタ１に滞在していることから、セクタ１に配置されている小セルＢＳ１，ＢＳ２，ＢＳ３が再開指示対象として選択され、これらの小セル基地局装置に再開指示が選択的に送達される。また、上述したセクタに配置されている小セル基地局装置１１０の中から、マクロ基地局装置１２０との距離が移動端末装置とマクロ基地局装置１２０との距離に近いものを選択して、再開指示対象とすることもできる。
【００８８】
このようにして、複数の小セル基地局装置１１０に再開指示を送信した場合には、接続要求元の移動端末装置が滞在している小セルの小セルＢＳ以外の小セルＢＳにおける電力供給も同時に再開される。しかし、上述したようにして選択された再開指示対象の小セル基地局装置１１０は、接続要求元の移動端末装置の近傍に位置していることは明らかである。したがって、電力供給が再開された小セル基地局装置１１０が移動端末装置との間で無線通信を開始する確率は、重複して配置された小セル基地局装置を無作為に稼動状態とした場合に想定される同様の確率に比べて大きいと考えられる。
【００８９】
また、電力供給が再開された後、所定の期間にわたって無通信状態が継続した場合は、小セル基地局装置１１０に備えられた停止制御部１１６の機能によって、再び電力供給が停止されるので、結果的に無駄に消費される電力の量を抑えることができる。
【００９０】
なお、移動端末装置が移動中である場合には、上述したように、接続要求元の移動端末装置の近傍に位置している複数の小セル基地局装置１１０の電力供給を再開させることにより、いずれかの小セル基地局装置１１０が利用される確率を高めることができる。例えば、図１２(ｂ)に示すように、移動端末装置ＭＳが破線で示した矢印のように移動しつつ接続要求を送出し、移動後の位置が小セルＢＳ２の近傍となった場合にも、対応することができる。
【００９１】
次に、マクロ基地局装置１２０から小セル基地局装置１１０に再開指示を送達する代わりに、移動端末装置からのランダムアクセスに応じて、小セル基地局装置１１０を稼動状態に移行させる方法について説明する。
(実施形態３)
図１３に、電力供給制御方法の別実施形態を適用した無線通信システムの一例を示す。なお、図１３に示した構成要素のうち、図１に示した構成要素と同等のものについては、同一の符号を付して示し、その説明は省略する。
【００９２】
図１３に示したマクロ基地局装置１２０は、再開指示部１２６に代えて、アクセス指示部１２７を備えて構成されている。このアクセス指示部１２７は、移動端末装置がランダムアクセス要求を行うために必要な情報を、接続要求先となる小セル基地局装置１１０に代わって移動端末装置に通知する。
【００９３】
また、小セル基地局装置１１０の再開制御部１１７は、受信アンプ１１３の受信信号から移動端末装置からのランダムアクセス要求を検出したときに、スイッチ部１１５を操作して送信アンプ１１２および信号処理部１１１への電力供給を再開させる。
【００９４】
図１４に、マクロ基地局装置の別実施形態を示す。また、図１５に、小セル基地局装置の別実施形態を示す。また、図１６に、小セル基地局装置の電力供給制御動作を説明するシーケンス図を示す。なお、図１４に示した構成要素のうち、図４に示した構成要素と同等のものについては、同一の符号を付して示し、その説明は省略する。同様に、図１５に示した構成要素のうち、図３に示した構成要素と同等のものについては、同一の符号を付して示し、その説明は省略する。また、図１６に示した信号および手順のうち、図６と同等のものについては、同一の符号を付して示し、その説明は省略する。
【００９５】
図１４に示したマクロ基地局装置１２０に備えられた小セル基地局データベース(ＢＳＤＢ)２２２は、各小セル基地局装置１１０に対応して、個々のランダムアクセスチャネル構成などのシステム情報を例えば管理情報の一部として保持している。アクセス指示部１２７に備えられたデータベース(ＤＢ)参照部２３４は、収容セル判定部２２３から受け取った小セル基地局装置１１０の基地局ＩＤに基づいて、上述したシステム情報を小セルＢＳＤＢ２２２から検索する。この検索で得られたシステム情報と収容セル判定部２２３で得られる小セル基地局装置と移動端末装置との距離とは、メッセージ作成部２３５に渡され、移動端末装置にランダムアクセスを指示するためのメッセージの作成処理に供される。メッセージ作成部２３５は、例えば、特定された小セル基地局装置と移動端末装置との距離に基づいて、移動端末装置とこの小セル基地局装置との間の伝送遅延を推定し、この推定結果とシステム情報と及び基地局ＩＤを含む制御メッセージを作成する。このメッセージ作成部２３５の処理は、図１６において、符号(ｉ)を付したランダムアクセス(ＲＡ)指示メッセージ作成手順として示した。そして、この制御メッセージは、ＰＤＳＣＨ(Physical Downlink Shared Channel)を介して、接続要求元の移動端末装置ＭＳに通知される(図１６符号(１０)参照)。
【００９６】
つまり、図１６において、マクロＢＳからマクロセル内にブロードキャストされるマクロＢＳのシステム情報に相当する小セル基地局装置(小セルＢＳ１)のシステム情報が、上述した制御メッセージによって移動端末装置に通知される。この制御メッセージを受け取ることにより、移動端末装置は、滞在している小セルの小セルＢＳがシステム情報を報知している場合と同等の情報を取得することができる。
【００９７】
図１６に示した例では、マクロ基地局装置からのランダムアクセス応答に応じて、移動端末装置がマクロＢＳ同期のＩＤＯＬ状態から接続状態へと遷移している過程で、この制御メッセージが移動端末装置に到達している。この場合に、移動端末装置は、あたかもこの制御メッセージで指定された小セル基地局装置(小セルＢＳ１)からのシステム情報の報知を受信したかのように、小セルＢＳ１同期のＩＤＯＬ状態に遷移する。したがって、この移動端末装置は、上述した小セルＢＳ１に対して、適切なタイミングでランダムアクセスプリアンブルを送出することができる(図１６符号(11)参照)。
【００９８】
図１５に示した小セル基地局装置１１０に備えられた再開制御部１１７は、アクセス要求検出部２１８を備えている。このアクセス要求検出部２１９は、上述したランダムアクセスプリアンブルが受信アンプ１１３を介して信号処理部１１１に渡され、信号処理部１１１によって処理されたときに、信号処理部１１１からのその旨の通知を受ける。これに応じて、アクセス要求検出部２１９は、移動端末装置からのアクセス要求を検出したと判断し、スイッチ部２１５を操作して、送信アンプ１１２への電力供給を再開させる（図１６符号(ｊ)、(ｋ)参照）。また、このとき、信号処理部１１１により、移動端末装置に対するランダムアクセス応答が作成され、送信アンプ１１２を介して送信される（図１６符号(12)参照）。
【００９９】
この構成では、小セル基地局装置１１０の送信アンプ１１２への電力供給のみが、スイッチ部１１５によってオン・オフされ、受信アンプ１１３および信号処理部１１１への電力供給は休止状態においても維持される。しかし、受信アンプ１１３および信号処理部１１１による消費電力は、送信アンプ１１２による消費電力に比べて小さいので、このような構成によっても、小セル基地局装置１１０の消費電力の低減を図ることができる。
【０１００】
なお、マクロ基地局装置の小セル基地局データベース２２２に各小セル基地局装置に対応するシステム情報を保持させておく代わりに、特定された小セル基地局装置１１０と情報交換を行うことで必要な情報を取得することもできる。例えば、上述したバックホール回線を介して制御メッセージのやり取りを行うことにより、特定された小セル基地局装置１１０からランダムアクセスに必要な情報を取得することができる。
【符号の説明】
【０１０１】
１１０  小セル基地局装置
１１１，１２１  信号処理部
１１２，１２２  送信アンプ
１１３，１２３  受信アンプ
１１４  電源供給部
１１５  スイッチ部
１１６  停止制御部
１１７  再開制御部
１２０  マクロ基地局装置
１２４  セル特定部
１２５  再開指示部
１２６  アレイアンテナ
１２７  アクセス指示部
２１１  ＢＳ信号用受信アンプ
２１２  信号測定部
２１３  有効設定部
２１４  無通信検出部
２１５  ＢＳ信号処理部
２１６  再開指示検出部
２１７  メッセージ抽出部
２１８  設定保持部
２１９  アクセス要求検出部
２２１  位置情報収集部
２２２  小セル基地局データベース（小セルＢＳＤＢ）
２２３  収容セル判定部
２２４  再開判定部
２２５  更新処理部
２２６  端末方位推定部
２２７  距離算出部
２２８  位置推定部
２３１  ＢＳ通信用送信アンプ
２３２  信号生成部
２３４  データベース(ＤＢ)参照部
２３５  メッセージ作成部
【図１】
2011091748.tif 000003
【図２】
2011091748.tif 000004
【図３】
2011091748.tif 000005
【図４】
2011091748.tif 000006
【図５】
2011091748.tif 000007
【図６】
2011091748.tif 000008
【図７】
2011091748.tif 000009
【図８】
2011091748.tif 000010
【図９】
2011091748.tif 000011
【図１０】
2011091748.tif 000012
【図１１】
2011091748.tif 000013
【図１２】
2011091748.tif 000014
【図１３】
2011091748.tif 000015
【図１４】
2011091748.tif 000016
【図１５】
2011091748.tif 000017
【図１６】
2011091748.tif 000018